(57)【特許請求の範囲】
【請求項１】
内部に収納空間を有する所定長さのケース本体と、このケース本体の幅方向一端側と長手方向一端側の領域にかけて設けられて当該ケース本体を開閉可能とする開閉手段とを備えた筆記具ケースにおいて、
前記ケース本体は、前記開閉手段を閉位置にしたときに強制的な折り曲げ力を受けて折れ曲がる一方、前記開閉手段を開位置にしたときに所定角度開くように設けられ、
前記開閉手段はチャックにより構成され、当該チャックを構成する一対のレールの各基部間には、筆記具の脱落防止部が設けられ、
前記脱落防止部は、前記ケース本体の長手方向他端側に設けられた底シート側から当該ケース本体の長手方向略半分長さに対応する高さ位置まで設けられていることを特徴とする筆記具ケース。
【請求項２】
前記ケース本体は、前記開閉手段を開位置にしたときに起立可能に設けられていることを特徴とする請求項１記載の筆記具ケース。
【請求項３】
前記ケース本体は、折り曲げ可能な発泡樹脂シートを含んで構成されていることを特徴とする請求項１又は２記載の筆記具ケース。
【請求項４】
前記脱落防止部の外側には、小物類収納部が設けられていることを特徴とする請求項１、２又は３記載の筆記具ケース。
【発明の詳細な説明】
【０００１】
【発明の属する技術分野】
本発明は筆記具ケースに係り、更に詳しくは、ペン立てとしての利用も図ることのできる筆記具ケースに関する。
【０００２】
【従来の技術】
従来より、袋状をなすケース本体の出し入れ口に沿ってファスナー等の開閉手段を設けた各種の筆記具ケースが知られている。この種の筆記具ケースとしては、例えば、実用新案登録第３０７２８６８号公報に開示されるように、ペン立てとして使用することもできるタイプのものが存在する。この筆記具ケースは、長手方向に延びるとともに、略扁平に折り畳むことのできるケース本体と、このケース本体の一端側に設けられてケース本体内に折り込み可能な底板と、前記ケース本体を開閉可能とするチャックとを備えて構成され、このチャックを開いた状態で、前記ケース本体を開放して当該ケース本体内に折り込まれている底板を平面的に展開させることでペン立てとしての利用が可能となっている。
【０００３】
【発明が解決しようとする課題】
しかしながら、前記実用新案登録第３０７２８６８号公報に示された筆記具ケースにあっては、ペン立てとして利用する場合に、筆記具ケースの利用者が意図的にケース本体を開いて底板を平面的に展開操作しなければならず、チャックを開く操作のみでペン立てとして利用可能な形状に変化するものではなく、使い勝手は必ずしも良好なものではない。
【０００４】
【発明の目的】
本発明は、このような不都合に着目して案出されたものであり、その目的は、ケース本体の開閉手段を開き操作したときに、ケース本体が開いて筆記具を取り出し易くするとともに、直ちにペン立てとして利用可能となる筆記具ケースを提供することにある。
【０００５】
【課題を解決するための手段】
前記目的を達成するため、本発明は、内部に収納空間を有する所定長さのケース本体と、このケース本体の幅方向一端側と長手方向一端側の領域にかけて設けられて当該ケース本体を開閉可能とする開閉手段とを備えた筆記具ケースにおいて、
前記ケース本体は、前記開閉手段を閉位置にしたときに強制的な折り曲げ力を受けて折れ曲がる一方、前記開閉手段を開位置にしたときに所定角度開くように設けられ、
前記開閉手段はチャックにより構成され、当該チャックを構成する一対のレールの各基部間には、筆記具の脱落防止部が設けられ、
前記脱落防止部は、前記ケース本体の長手方向他端側に設けられた底シート側から当該ケース本体の長手方向略半分長さに対応する高さ位置まで設けられる、という構成を採っている。このような構成とすれば、ケース本体が強制的に折り曲げられた状態で閉塞されているため、この閉塞状態を解除するだけでケース本体が開くようになり、収納されている筆記具を取り出し易くすることができる。また、筆記具ケースを起立姿勢にしてペン立てとして利用するときに、内部に収納されている筆記具がケース本体外に倒れ込むような虞を防止することができる。
【０００６】
【発明の実施の形態】
本発明における前記ケース本体は、前記開閉手段を開位置にしたときに起立可能に設けられる、という構成を採っている。このような構成により、開閉手段の単なる開き操作によってケース本体が起立できる状態となり、ペン立てとしての利用が可能となる。
【０００７】
また、前記ケース本体は、折り曲げ可能な発泡樹脂シートを含んで構成することが好ましい。このような構成では、筆記具ケースを軽量なものとすることができる。しかも、クッション性を得ることで手触りもソフトな感じを与えることが可能になるとともに、筆記具を損傷から保護することも可能となる。
【０００９】
更に、前記脱落防止部の外側に小物類収納部を設けるとよく、これにより、例えば、消しゴムのようなものを収納したときに、その出し入れを極めて容易に行うことが可能となる。
【００１０】
【実施例】
以下、本発明の実施例を図面を参照しながら説明する。
【００１１】
図１には、本実施例に係る筆記具ケースの概略斜視図が示され、図２には、図筆記具ケースを開いた状態の概略斜視図が示されている。これらの図において、筆記具ケース１０は、内部に収納空間Ｓを有する所定長さのケース本体１１と、このケース本体１１の幅方向一端側と長手方向一端（図１中上端）側の領域にかけて設けられた開閉手段としてのチャック１２とを備えて構成されている。
【００１２】
前記ケース本体１１は、折り曲げ領域を構成する背部１１Ａと、この背部１１Ａに連なる左片部１１Ｂ及び右片部１１Ｃを備えた形状に設けられている。また、ケース本体１１の成形材料は、図４に示されるように、シート状の芯材１５と、この芯材１５の内面側に設けられた内装材１６と、芯材１５の外面側に設けられた表装材１７とにより構成されている。芯材１５は、軟質発泡樹脂シートを用いて構成することができ、本実施例では、特に限定されるものではないが、ポリエチレン低発泡シートにより構成されている。このシートは、平坦なシートを成形時の初期形状とした場合において、シートの両側を相互に接近させる方向に折り曲げ力を付与したときに破断若しくは割れを生ずることなく折れ曲がることができ、且つ、折り曲げ力の付与を解除したときに、略初期形状に復帰することができる程度の弾性を備えたものにより構成されている。また、内装材１６は、ナイロン繊維シートが用いられている一方、表装材１７は、ポリウレタン等の樹脂シート、革、繊維等が用いられている。
【００１３】
ケース本体１１の下端側には、図２及び図３に示されるように、平面視略Ｕ字状若しくはＶ字状をなす底シート２０が縫い付けられているとともに、この底シート２０の図２中前端縁には筆記具Ｐの脱落防止部としてのネット状の前カバー２２が連なって設けられている。この前カバー２２は、ケース本体１１の長手方向略半分長さに対応した高さ位置まで設けられている。また、底シート２０の平面形状は、図２に示されるように、筆記具ケース１０を開いたときに、略長楕円の長軸方向半分程度の拡がりを有する形状に設けられている。また、前カバー２２は、図２中左右両縁が、チャック１２の基部領域に縫い付けられているとともに、当該前カバー２２の前面側には、上部を開放するネット状のポケット（小物類収納部）２５が設けられている。
【００１４】
前記チャック１２は、ケース本体１１の幅方向一端側領域から長手方向一端側（図１中上端側）の領域にかけて縫い付けられた一対のレール２６，２６と、これらレール２６，２６に沿って移動するスライダ２７とにより構成されている。レール２６の図１中上端側端部長さは、ケース本体１１の背部１１Ａよりも更に後方に一定量延ばすことのできる長さに設けられている。
【００１５】
以上の構成において、筆記具ケース１０は、チャック１２を閉塞状態としたときに、ケース本体１１の背部１１を挟んで左片部１１Ｂ及び右片部１１Ｃが相互に接近する方向（図４中実線位置）に強制的に折り曲げられる状態となる。この一方、チャック１２を開放してスライダ２７をレール２６の上端まで移動させると、前述した芯材１５が弾性復帰しようとするため、図３中二点鎖線で示されるように、左片部１１Ｂ及び右片部１１Ｃの開放端側が相互に離れ、底シート２０の平面形状に略対応する位置まで開くようになる。この開放角度は、底シートの形状によって決定されることとなり、従って、底シート２０を更に大きなサイズとすれば、より大きな開放角度まで開くことが可能となる。
【００１６】
従って、このような実施例によれば、チャック１２を開位置にするだけで、ケース本体１１が開くようになるため、起立姿勢を安定して保つことができ、ペン立てと同様の利用形態を図ることができる。この際、前カバー２２が存在しているため、筆記具Ｐが手前側に倒れ込むように脱落する虞も回避することができる。
【００１７】
なお、前記実施例では、ケース本体１１が三層構造となるものを図示、説明したが、本発明はこれに限定されるものではなく、層数を増加、減少させてもよい。要するに、強制的な折り曲げ力を解除したときに、所定角度開く弾性を備えたシート材を用いていれば足りる。
【００１８】
【発明の効果】
以上説明したように、本発明によれば、ケース本体が、開閉手段を閉位置にしたときに強制的な折り曲げ力を受けて折れ曲がる一方、開閉手段を開位置にしたときに所定角度開く構成としたから、ケース本体の閉塞状態を解除するだけで、手で拡げる操作をすることなく、ケース本体が折り曲げ力を受けない状態まで開くことができ、収納されている筆記具を容易に取り出すことができる。
【００１９】
また、開閉手段を開くだけでケース本体が起立可能となり、ペン立てとして利用することが可能となる。
【００２０】
更に、折り曲げ可能な発泡樹脂シートを含んでケース本体を構成したから、筆記具ケースを軽量なものとすることができる。また、ケース本体にクッション性を与えることができるため、手に持った感触もソフトにすることができる他、筆記具を損傷から保護することも可能となる。
【００２１】
更に、前記開閉手段を構成するチャックのレールの各基部間に筆記具の脱落防止部を設けた構成では、筆記具ケースを起立姿勢としたときに、内部に収納されている筆記具がケース本体外に倒れ込むような虞を防止することができる。
【００２２】
また、脱落防止部の外側に小物類収納部を設けた構成によれば、消しゴムのようなものを収納したときに、その出し入れを極めて容易に行うことが可能となり、筆記具を種別若しくはサイズに応じて分別収納することができる。
【図面の簡単な説明】
【図１】実施例に係る筆記具ケースの閉塞時外観を示す概略斜視図。
【図２】前記筆記具ケースの開放時外観姿勢を示す概略斜視図。
【図３】前記筆記具ケースの閉塞時底面図。
【図４】図３のＡ−Ａ線矢視拡大断面図。
【符号の説明】
１０  筆記具ケース
１１  ケース本体
１２  チャック（開閉手段）
２５  ポケット（小物類収納部）
２２  前カバー（脱落防止部）
Ｐ  筆記具
【図１】
0004617597.tif 000002
【図２】
0004617597.tif 000003
【図３】
0004617597.tif 000004
【図４】
0004617597.tif 000005